(57)【要約】【課題】容器本体と蓋体とが容易に着脱できる一方、これら両者の嵌合強度に優れ、電子レンジにより急激に加熱しても、容器本体と蓋体との嵌合状態を維持し、電子レンジ調理用としても良好な蓋付き包装体を提供すること。【解決手段】容器本体２と蓋体３を備え、この容器本体２と蓋体３が内嵌合されて閉塞され、前記容器本体２の開口部２１の内周面２４に対して凸部２４１と凹部２４２を形成するとともに、前記蓋体３の外周部３３に凸部３３１を形成し、前記容器本体２の凹部２４２と、前記蓋体３の凸部３３１が嵌着してなる蓋付き包装体１であって、冷凍状態とした後に電子レンジによる急激な加熱に対しても、容器本体２と蓋体３との嵌着状態を維持することができるため、調理用食品を収納する蓋付き容器として利用することができる。【選択図】図２
2005306390.tif 000002
【特許請求の範囲】
【請求項１】
容器本体と蓋体を備え、当該容器本体と蓋体が内嵌合されて閉塞される蓋付き包装体であって、
前記容器本体の開口部の内周面に対して凸部と凹部を形成するとともに、
前記蓋体の外周部に凸部を形成し、
前記容器本体の凹部と、前記蓋体の凸部が嵌着してなることを特徴とする蓋付き包装体。
【請求項２】
請求項１に記載の蓋付き包装体において、
前記蓋体がポリプロピレン系樹脂からなることを特徴とする蓋付き包装体。
【請求項３】
請求項２に記載の蓋付き包装体において、
前記蓋体のヘイズ値が３０％以下であることを特徴とする蓋付き包装体。
【請求項４】
請求項１ないし請求項３の何れかに記載の蓋付き包装体において、
前記蓋体に形成された凸部の底部がカール形状であることを特徴とする蓋付き包装体。
【請求項５】
請求項１ないし請求項４の何れかに記載の蓋付き包装体において、
前記容器本体と蓋体がともにポリプロピレン系樹脂からなることを特徴とする蓋付き包装体。
【発明の詳細な説明】
【技術分野】
【０００１】
本発明は、容器本体と蓋体との着脱容易性が良好でありながら、両者の嵌合強度が優れるため、電子レンジ調理用途として好適な蓋付き包装体に関する。
【背景技術】
【０００２】
近年のコンビニエンスストアの普及に伴い、パスタ、弁当、総菜など種々の調理済み食品が広く流通ないし販売されるようになっている。この調理済み食品は、所定の容器に収納されて販売され、当該食品を収納したまま電子レンジで加熱するだけで簡単に調理できるため、若者を中心にして気軽に利用し、食されている。
【０００３】
このような調理済み食品を収納する容器としては、使用後には廃棄される使い捨て用途であることから、軽量で安価な合成樹脂で形成することが好ましく、また、調理済み食品を入れるための容器本体と、当該容器本体と別体であって、容器本体の開口部を覆うようにして被せられる蓋体からなる蓋付き容器が広く使用されている。
【０００４】
また、この蓋付き容器にあっては、容器本体の周縁部内側に蓋体が内嵌合するいわゆる内嵌合形式の嵌合構成が広く適用されており、具体的には、熱可塑性樹脂発泡シートからなる容器本体と、当該容器本体に装着可能な合成樹脂製蓋体からなり、容器本体の内面開口部近傍位置の全周に渡って嵌合部が形成され、当該容器本体の嵌合部に蓋体の外向き側の面が内嵌合する蓋付き容器が提供されている（例えば、特許文献１）。
【０００５】
図４は、内嵌合形式を採用した従来の蓋付き容器１００における容器本体２００と蓋体３００との嵌合構成を示した断面図である。図４に示すように、従来の蓋付き容器１００は、容器本体２００の開口部２０１の内周面２０２に対してアンダーカット２１０からなる嵌合部が配設されており、この嵌合部に対して蓋体３００の外向き側の面３０１を嵌着する構成となっている。
【０００６】
一方、調理済み食品は、図４等に示した構成の蓋付き容器に収納された状態で、常温ないしはチルド状態（０℃前後の凍結しない程度の温度で冷蔵されている状態）で流通ないし販売され、当該食品を収納したまま電子レンジにより調理されていたが、近年では、調理済み食品の多様化や当該食品の保存性等に鑑み、調理済み食品を収納した蓋付き容器を０℃以下（例えば、−２０〜−３０℃程度）に冷凍して、その後電子レンジにより加熱調理されることともあった。
【０００７】
【特許文献１】特開平９−３２３７４３号公報（請求項１，図２）
【発明の開示】
【発明が解決しようとする課題】
【０００８】
しかしながら、−２０〜−３０℃程度に冷凍した状態から、電子レンジで急激に加熱して調理を行った場合に、図４に示した構成の従来の蓋付き容器にあっては、電子レンジで加熱されて容器の内圧が上昇することにより容器本体と蓋体との嵌合状態が解除されやすくなり、蓋体が容器本体から外れやすくなってしまうという問題が発生していた。
【０００９】
また、蓋付き容器のうち蓋体を構成する樹脂材料については、従来よりポリスチレン系樹脂が使用されていたが、電子レンジ調理時に昇温するため、より耐熱性のあるポリプロピレン系樹脂への代替が望まれていた。
【００１０】
従って、本発明の目的は、容器本体と蓋体とが容易に着脱できる一方、これら両者の嵌合強度に優れ、電子レンジにより急激に加熱しても、容器本体と蓋体との嵌合状態を維持できるため、電子レンジ調理用としても良好な蓋付き包装体を提供することにある。
【課題を解決するための手段】
【００１１】
前記の課題を解決すべく、本発明の蓋付き包装体は、容器本体と蓋体を備え、当該容器本体と蓋体が内嵌合されて閉塞される蓋付き包装体であって、前記容器本体の開口部の内周面に対して凸部と凹部を形成するとともに、前記蓋体の外周部に凸部を形成し、前記容器本体の凹部と、前記蓋体の凸部が嵌着してなることを特徴とする。
【００１２】
この本発明の蓋付き包装体は、容器本体と蓋体を備え、この両者が内嵌合されて閉塞される一方、かかる内嵌合が、容器本体の開口部の内周面に対して凸部と凹部を形成するとともに、蓋体の外周部に凸部を形成し、前記容器本体の凹部と、前記蓋体の凸部が嵌着する構成としているので、容器本体と蓋体との嵌合状態が良好となり、両者が容易に着脱可能でありながら、嵌合強度が優れた蓋付き包装体となる。よって、例えば、冷凍状態として電子レンジで長時間加熱した場合であっても、電子レンジで加熱されて容器の内圧が上昇することにより容器本体と蓋体との嵌合状態が解除されてしまうことを好適に防止することができる。
そして、かかる嵌合構成によれば、容器本体に対して蓋体を嵌着させた際の装着感も良好であり、嵌合時には軽い音を発して両者がしっかり嵌合されたことも確認できるといった副次的な効果もある。
【００１３】
ここで、本発明において、「容器本体と蓋体が内嵌合されてなる蓋付き包装体」とは、一般に、蓋体を容器本体に嵌合させるにあたって、容器本体の開口部を外側に張り出している張出部（例えば鍔状のフランジ部等）における容器内側に相当する位置に対して、蓋体の外周部を嵌合せしめられる蓋付き包装体を指すものである。
【００１４】
本発明の蓋付き包装体は、前記した蓋体がポリプロピレン系樹脂からなることが好ましい。
この本発明によれば、蓋体がポリプロピレン系樹脂からなるようにしているので、前記した嵌合構成と組み合わせることにより、ポリプロピレン系樹脂からなる蓋体を適用しながら、前記の効果を好適に奏することができる蓋付き包装体を提供可能となる。
また、ポリプロピレン系樹脂は汎用樹脂であるため、成形加工も容易であり、蓋付き包
装体を構成する蓋体を低コストで製造することができる。更には、ポリプロピレン系樹脂
は耐熱性が高いため、電子レンジ調理に際しても十分対応できるものである。
そして、蓋体をポリプロピレン系樹脂とすることにより、ポリスチレン系樹脂製の蓋体では嵌合しにくい深めの内嵌合の構成であっても、良好な初期嵌合性を得ることができる。
【００１５】
本発明の蓋付き包装体は、前記した蓋体のヘイズ値が３０％以下であることが好ましい。
この本発明によれば、ポリプロピレン系樹脂からなる蓋体のヘイズ値が特定範囲内にあるので、透明性が良好であり商品価値の高いポリプロピレン系樹脂製蓋体を好適に提供可能となる。また、蓋体の透明性が良好であるため、収納される調理済み食品の状態が明確にあらわれることとなり、購買意欲を高めることもできる。
なお、かかる蓋体のヘイズ値は、ＪＩＳ  Ｋ７１３６に準拠して測定した値を用いることができる。
【００１６】
本発明の蓋付き包装体は、前記した蓋体に形成された凸部の底部がカール形状であることが好ましい。
この本発明によれば、蓋体の底部がカール形状であるので、蓋体の凸部を容器本体の内周面に形成された凹部に嵌め込みやすくなり、容器本体と蓋体の嵌着を効率的に行うことができる。
【００１７】
本発明の蓋付き包装体は、前記した容器本体と蓋体がともにポリプロピレン系樹脂からなることが好ましい。
この本発明によれば、蓋付き包装体の構成体である容器本体と蓋体とがともにポリプロピレン系樹脂という同種の樹脂材料からなるので、容器本体と蓋体とを分別せずに廃棄することができるとともに、両者を一緒にしてマテリアルリサイクルすることもでき、リサイクル性に優れた蓋付き包装体となる。
また、蓋付き包装体をポリプロピレン系樹脂で構成し、容器本体と蓋体を内嵌合することにより、冷蔵状態とした場合であっても軽い衝撃等で割れることもなく、低温衝撃性が良好で商品価値の高い蓋付き包装体を提供することが可能となる。
【発明を実施するための最良の形態】
【００１８】
以下、本発明の実施形態を図面に基づいて説明する。
図１及び図２は、本発明の蓋付き包装体１の一態様を示した概略図であり、図１は蓋付き包装体の概略図（ただし、容器本体２と蓋体３とを分離した状態を示している）であり、
図２は、容器本体と蓋体の嵌合構成を示した断面図である。図１及び図２中、１は蓋付き包装体、２は容器本体、３は蓋体、をそれぞれ示す。
【００１９】
図１及び図２に示すように、本実施形態の蓋付き包装体１は、容器本体２と蓋体３を備えており、かかる容器本体２と蓋体３が、いわゆる内嵌合により閉塞されてなるものである。具体的には、容器本体２の開口部２１を外側に張り出させた部分（後記するフランジ部２５が相当する）の容器内側に対応する位置（内周面２４）に対して蓋体３が嵌合せしめられる。
【００２０】
蓋付き包装体１を構成する容器本体２は、その内部に調理済み食品等の物品を収納するものであり、図１に示すように、略円形状の開口部２１と、底面部２２と、開口部２１から底面部に向かって傾斜状に下りて形成される側面部２３を備え、側面部２３における開口部２１付近の内面が、容器本体２の内周面２４となる。
【００２１】
また、容器本体２の開口部２１の全周には鍔状のフランジ部２５が形成されている。図１及び図２に示した本実施形態における当該フランジ部２５の形状としては、当該開口部２１の属する面と水平外側方向に延出して、その最外縁で垂下して形成される断面コ字形のスカートフランジを採用している例を示している。
なお、本実施形態の容器本体２には、蓋体３を挿入、嵌合しやすいように、フランジ部２５の下部に連接して傾斜部２６（スロープ）が配設されている態様を示している。
【００２２】
この容器本体２は、熱可塑性樹脂からなることが好ましく、例えば、ポリスチレン系樹脂、ポリプロピレン系樹脂、ポリエチレンテレフタレート（ＰＥＴ）等のポリエステル系樹脂等を用いることができる。
また、これらの材料に対して、タルク、炭酸カルシウム等の無機フィラーを添加してもよい。
【００２３】
容器本体２の構成材料としては、これらの熱可塑性樹脂のうち、ポリプロピレン系樹脂を使用することが好ましい。ポリプロピレン系樹脂としては、例えば、ホモポリプロピレン、ランダムポリプロピレン、ブロックポリプロピレン等のポリプロピレン樹脂のほか、
プロピレン共重合体が挙げられ、これらの一種を単独で使用してもよく、また、これらの二種以上を組み合わせて使用するようにしてもよい。
【００２４】
そして、この容器本体２は、例えば、前記した種々の熱可塑性樹脂を公知の押出成形方法ないしは発泡押出成形方法を用いることにより得られたシート（発泡シート含む）を熱成形することにより、簡便に製造することができる。また、かかる熱成形の方法としては、真空成形法、圧空成形法、真空圧空成形法、プラグアシスト真空成形法、プラグ圧空成形方法、いわゆる熱板成形方法等の各種熱成形方法を採用することができる。
【００２５】
一方、蓋体３は、調理済み食品等の各種物品を収納した容器本体２と内嵌合され、包装体１全体を閉塞状態とするものであり、天面部３１、側面部３２、外周部３３及びフランジ部３５を備えている。また、蓋体３に形成されたフランジ部２５は、本実施形態にあっては、水平外側方向に延出して形成されるフラットフランジを採用している。
【００２６】
この蓋体３は、容器本体２と同様に熱可塑性樹脂からなることが好ましく、例えば、ポリプロピレン系樹脂、ポリスチレン系樹脂、ポリエチレンテレフタレート（ＰＥＴ）等の
ポリエステル系樹脂等を用いることができ、ポリプロピレン系樹脂からなることが好ましい。
なお、蓋体３を構成するポリプロピレン系樹脂の具体例としては、前記した容器本体２を構成するポリプロピレン系樹脂を好適に使用することができる。
【００２７】
そして、本発明の蓋付き包装体１は、容器本体２と蓋体３をポリプロピレン系樹脂からなるようにすれば、容器本体２と蓋体３とを分別せずに廃棄することができるとともに、両者を一緒にしてマテリアルリサイクルすることもでき、リサイクル性に優れた蓋付き包装体１となるため好ましい。
また、蓋付き包装体１をポリプロピレン系樹脂で構成すれば、冷蔵状態とした場合であっても軽い衝撃等で割れることもない。
【００２８】
また、蓋体３をポリプロピレン系樹脂で構成する場合にあっては、ヘイズ値が３０％以下であることが好ましく、１５％以下であることが特に好ましい。蓋体３のヘイズ値が
１０％以下であれば、ポリプロピレン系樹脂からなる透明性が良好な蓋体３となり、蓋付き包装体１の商品価値を高めることができるため好ましい。
なお、かかる蓋体のヘイズ値は、ＪＩＳ  Ｋ７１３６に準拠して測定した値を用いることができる。
【００２９】
この蓋体３を得るには、前記した容器本体２と同様、前記した種々の熱可塑性樹脂を公知の押出成形法を用いることにより得られたシートを熱成形すればよい。また、かかる熱成形の方法も、容器本体２の場合と同様に、真空成形法、圧空成形法、真空圧空成形法、プラグアシスト真空成形法、プラグ圧空成形法、いわゆる熱板成形方法等の各種熱成形方法を採用することができる。
【００３０】
本発明の蓋付き包装体１は、前記した構成の容器本体２と蓋体３を嵌着させて閉塞状態にするものである。
図２は、容器本体２と蓋体３の嵌合構成を示した断面図である。図２に示すように、容器本体２は、前記したように、フランジ部２５からの傾斜部２６（スロープ）に続き、開口部２１の内周面２４に対して、開口部２１の内側方向に向かって隆起された凸部２４１と、当該凸部２４１と連続して形成される凹部２４２を備えている。
一方、蓋体３の外周部３３に対しては、外側方向に向かって隆起された凸部３３１が形成されている。そして、容器本体２と蓋体３を嵌着させて閉塞状態とするには、図２に示すように、容器本体２の開口部２１の内周面２４に形成された凹部２４２と、蓋体３の外周部３３に形成された凸部３３１が嵌着すればよい。
【００３１】
すなわち、容器本体２の開口部２１の内周面２４には凸部２４１と凹部２４２が、また、蓋体３の外周部３３には凸部３３１が形成されている一方、容器本体２の凹部２４２と蓋体３の凸部３３１が嵌合する際には、図２に示すように、容器本体２の凸部２４１が、蓋体３に凸部３３１が形成されることにより設けられた窪み３３２に入り込むため、容器本体２と蓋体３とが良好に嵌着されることになる。更には、容器本体２と蓋体３が凹凸形状により嵌まり合うことにより、両者の嵌合強度も高いものとなる。
【００３２】
ここで、蓋体３の外周部３３に形成された凸部３３１の底部３３１ａは、図２に示すように、カール形状とすることが好ましい。当該底部３３１ａをかかる形状とすれば、蓋体３の凸部３３１を容器本体２の内周面２４に形成された凹部２４２に嵌め込みやすくなるため、容器本体２と蓋体３の嵌着を効率的に行うことができる。
なお、これも図２に示すように、容器本体２の内周面２４に形成された凹部２４２と蓋体３の凸部３３１との間には、若干の（最大クリアランスとして１００〜５００μｍ程度の）クリアランス４０を設けることにより、両者の嵌着をよりスムースに行うことができる。
【００３３】
本実施形態の蓋付き包装体１の使用方法の一例を説明すると、まず、適量（例えば、容器本体２全体に対して１０〜６０質量％程度）の無機フィラーを添加したポリプロピレンを用いて、公知の押出成形方法により厚みが０．２ｍｍ〜２ｍｍのポリプロピレン系シートを製造する。
このポリプロピレン系シートを、公知の熱成形方法により、図１に示した形状であって、内周面２４に対して図２に示した凸部２４１及び当該凸部２４１に連続した凹部２４２を形成した容器本体２を得る。
【００３４】
次に、ポリプロピレンを用いて、公知の押出成形方法により厚さが１２０〜８００μｍの透明ポリプロピレン系シートを製造し、この透明ポリプロピレン系シートを、公知の熱成形方法により、図１に示した形状であって、その外周部３３に対して、図２に示した凸部３３１を形成した蓋体３を得る。
【００３５】
更に、このようにして得られた容器本体２と蓋体３について、容器本体２に対して図示しない所定の調理済み食品を収納させた後、容器本体２に対して蓋体を図２の嵌合状態となるようにして嵌着させれば、調理済み食品を収納させた蓋付き包装体１を得ることができる。
【００３６】
そして、かかる蓋付き包装体１は、例えば、−２０℃〜−３０℃で冷蔵した後、出力を
１５００〜１７００Ｗ程度とした電子レンジで０．５〜５分間加熱処理した場合であっても、容器本体２と蓋体３との嵌着状態を維持することができ、容器本体２から蓋体３が外れてしまうこともない。
【００３７】
前記のような構成の本実施形態の蓋付き包装体１は、以下のような効果を奏することができる。
（１）蓋付き包装体１の嵌合構成として、図２に示すように、容器本体２の開口部２１の内周面２４に対して凸部２４１と凹部２４２を形成するとともに、蓋体３の外周部３３に凸部３３１を形成し、容器本体２の凹部２４２と、蓋体３の凸部３３１が嵌着する構成としているので、容器本体２と蓋体３との嵌合状態が良好となり、両者が容易に着脱可能でありながら、嵌合強度が優れたものとなる。従って、冷凍状態として、電子レンジで長時間加熱した場合であっても、電子レンジで加熱されて容器の内圧が上昇することにより容器本体２と蓋体３との嵌合状態が解除されることを好適に防止することができる蓋付き包装体１となる。
更には、図２に示した嵌合構成によれば、容器本体２に対して蓋体３を嵌着させた際の装着感も良好であり、嵌合時には軽い音を発して両者がしっかり嵌合されたことも確認できる。
【００３８】
（２）蓋体３をポリプロピレン系樹脂からなるようにすれば、図２に示した嵌合構成と組み合わせることにより、ポリプロピレン系樹脂からなる蓋体３を適用しながら、前記効果（１）を好適に奏することができる蓋付き包装体１を提供することができる。
また、ポリプロピレン系樹脂は汎用樹脂であるため、成形加工も容易であり、蓋付き包装体を構成する蓋体３を低コストで製造することができ。
更には、ポリプロピレン系樹脂は耐熱性が高いため、電子レンジ調理における加熱処理
にも十分対応可能である。
【００３９】
（３）なお、蓋体３のほか容器本体２もポリプロピレン系樹脂として、容器本体２と蓋体３を内嵌合することにより、容器本体２と蓋体３とを分別せずに廃棄することができるとともに、両者を一緒にしてマテリアルリサイクルすることもでき、リサイクル性に優れた蓋付き包装体１となる。また、蓋付き包装体１をポリプロピレン系樹脂で構成することにより、冷蔵状態とした場合であっても軽い衝撃等で割れることもなく、商品価値の高い蓋付き包装体１を提供することができる。
【００４０】
（４）蓋体３に形成された凸部３３１の底部３３１ａをカール形状とすることにより、当該凸部３３１を容器本体２の凹部２４２に嵌め込みやすくなり、両者の嵌着を効率的に行うことができる。
【００４１】
（５）ポリプロピレン系樹脂からなる蓋体３のヘイズ値を１０％以下とすることにより、透明性が良好であり商品価値の高いポリプロピレン系樹脂からなる蓋体３を備えた蓋付き包装体１となる。
また、蓋体３の透明性が良好であるため、収納される調理済み食品の状態が外部に対して明確にあらわれることとなり、購買意欲が高められる。
【００４２】
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００４３】
例えば、前記した実施形態では、容器本体２と蓋体３との嵌合構成として、図２に示したように、蓋体３の外周部３３に形成された凸部３３１の底部３３１ａをカール形状とし、また、容器本体２の内周面２４に形成された凹部２４２と蓋体の凸部３３１との間に若干のクリアランス４０を設けるようにしたが、両者の嵌合強度をより強くし、例えば、収納物が液体を含む場合にあって、収納物の漏れ出しを防止するためには、図３に示すような嵌合構成としてもよい。
【００４４】
図３は、蓋付き包装体１の嵌合構成の別の態様を示した断面図であり、蓋体３の外周部３３に形成された凸部３３１の底部３３１ａをカール形状とせずに、また、当該凸部３３１と容器本体２の内周面２４に形成された凹部２４２とのクリアランス４０を極力なくした構成を示している。
この図３の構成によれば、図２の構成と比較して容器本体２と蓋体３との嵌着はややスムースさを欠くことになるが、両者の嵌着強度はより強くなり、内容物の漏れ出しを極力防止することができる。
【００４５】
また、前記した実施形態では、蓋付き包装体１を得る手段として、ポリプロピレン系樹脂からなる容器本体２や蓋体３を例に挙げて説明したが、これには限定されず、例えば、容器本体２や蓋体３の構成材料として、熱可塑性樹脂であるポリスチレン系樹脂等を使用するようにしてもよい。
【００４６】
前記した実施形態では、容器本体２の開口部２１の形状を略円形状とした例を示したが、これには限定されず、当該開口部２１の形状は、角形状、楕円形状等の各種形状としてもよい。
【００４７】
そして、前記した実施形態では、図１に示すように、容器本体２の開口部２１に形成されるフランジ部２５の形状として、スカートフランジを用いた例を示したが、これには限定されず、開口部２１の属する面と水平外側方向に延出して形成されるフラットフランジや、当該開口部２１の属する面と水平外側方向に延出し、最外縁で垂下して、端部をカール状とするカーリングフランジ等を採用してもよい。
その他、本発明の実施における具体的な構造及び形状等は、本発明の目的を達成できる範囲で他の構造等としてもよい。
【産業上の利用可能性】
【００４８】
本発明の蓋付き包装体は、容器本体と蓋体との着脱容易性が良好であり、かつ、両者の嵌合強度も優れるという特性を併せ持つため、冷凍状態とした後に電子レンジによる急激な加熱に対して、容器本体と蓋体との嵌着状態を維持することができ、パスタ、惣菜、弁当等の調理用食品を収納する蓋付き容器として広く利用することができる。
【図面の簡単な説明】
【００４９】
【図１】本発明の蓋付き包装体の一態様を示した概略図である。
【図２】蓋付き包装体の嵌合構成を示した断面図である。
【図３】蓋付き包装体の嵌合構成の別の態様を示した断面図である。
【図４】従来の蓋付き容器の嵌合構成を示した断面図である。
【符号の説明】
【００５０】
１    包装体
２    容器本体
３    蓋体
２１    開口部
２２    底面部
２３    側面部
２４    内周面
２５    フランジ部
２６    傾斜部
３１    天面部
３２    側面部
３３    外周部
３５    フランジ部
４０    クリアランス
２４１    凸部
２４２    凹部
３３１    凸部
３３１ａ  底部
３３２    窪み
【図１】
2005306390.tif 000003
【図２】
2005306390.tif 000004
【図３】
2005306390.tif 000005
【図４】
2005306390.tif 000006